(57)【要約】【課題】シート空調ユニットに導入空気の質を改善する空気質改善機構を組み込み、車室内の空調を司る車室内空調ユニットの機能を助け、車室内空調ユニットの負荷の軽減のみならず、車室内の快適性の向上を図ること。【解決手段】車両シート８の底面又は背面の少なくとも一方に空調空気を送るためのシート空調用送風機１５を備えたシート空調ユニット３と、車室内の空調を司る車室内空調ユニット２を備え、前記車室内空調ユニット２内から前記シート空調ユニット３に空調空気を送り込む非接続型の車両用シート空調装置１を有している。そして、前記シート空調ユニット３に設けられたシート空調用送風機１５の前後の導風通路１８に導入空気の質を改善する空気質改善機構２０を組み込んでいる。【選択図】        図１
2008179264.tif 000002
【特許請求の範囲】
【請求項１】
車両シートの座面又は背面の少なくとも一方に空調空気を送るためのシート空調用送風機を備えたシート空調ユニットと、車室内の空調を司る車室内空調ユニットとを備え、前記車室内空調ユニット内から前記シート空調ユニットに空調空気を送り込む非接続型の車両用シート空調装置において、
前記シート空調ユニットに設けられたシート空調用送風機の前後の少なくとも一方の導風通路に導入空気の質を改善する空気質改善機構を組み込んだことを特徴とする車両用シート空調装置。
【請求項２】
前記空気質改善機構は、脱臭器であることを特徴とする請求項１記載の車両用シート空調装置。
【請求項３】
前記空気質改善機構は、芳香器であることを特徴とする請求項１記載の車両用シート空調装置。
【請求項４】
前記空気質改善機構は、殺菌又は滅菌器であることを特徴とする請求項１記載の車両用シート空調装置。
【請求項５】
前記空気質改善機構は、集塵器であることを特徴とする請求項１記載の車両用シート空調装置。
【請求項６】
前記空気質改善機構は、シート空調用送風機に一体として取付られたことを特徴とする請求項１記載の車両用シート空調装置。
【請求項７】
前記空気質改善機構は、取付られるシート空調用送風機の下面から着脱作業が行われる、開口や取付手段を有することを特徴とする１から６のいずれか一つに記載の車両用シート空調装置。
【請求項８】
前記空気質改善機構の着脱用に、その着脱軌跡空間を有し、且つその着脱軌跡空間に他の機器の配設を避けるようにしたことを特徴とする請求項６又は７記載の車両用シート空調装置。
【請求項９】
前記空気質改善機構の作動と、前記シート空調用送風機の作動を連動させたことを特徴とする請求項１から５のいずれか一つに記載の車両用シート空調装置。
【請求項１０】
前記シート空調用送風機に集風手段としてのガイド板を、前記車室内空調ユニットに接続のフロアダクトの吹出口から吹出される空調空気の流れに直交する位置と、流れに沿う位置とに可変するように設置したことを特徴とする請求項１記載の車両用シート空調装置。
【発明の詳細な説明】
【技術分野】
【０００１】
この発明は、車室内空調ユニットからの空調空気を用いてシート空調を行う車両用シート空調装置に関する。
【背景技術】
【０００２】
車室内の空調だけでは解消できなかった乗員の背中、臀部及び大腿部の蒸れ、汗によるベタつきを抑えるために、シート空調装置が提案されている。
【０００３】
例えば特許文献１にあっては、シート１に開けたエア吹出孔７へ車室Ｒ内のエアを圧送する送風機１２と、この送風機１２から前記エア吹出孔７までの間で圧送中のエアを加熱又は冷却するシート温調手段２０と、車室Ｒ内に温度調節済みのエアを供給する車両用温調機５１と、このエアを供給する車両用温調機５１と、この温調機５１の出口５２にてエアの吹出方向を変向する吹出方向変向手段５３と、前記送風機１２の運転信号Ｄに基づいて吹出方向変向手段５３を介して車両用温調機５１のエアの吹出方向を送風機１２の吸気口１１へ指向させるコントローラ５４とから成っている。
【０００４】
これにより、温調済みのエアを送風機の吸気口へ送ることができるし、またこのエアをシート温調手段を介することで、急速に且つ十分に加熱又は冷却したエアを吹出すことができる。即ち、車室内の車両用温調機５１から前記シートユニットに空調空気を送り込む非接続型の車両用シート空調装置が示されている。
【特許文献１】特開平１０−２７８５５６
【０００５】
また、特許文献２にあっては、座席本体１の人体が着座する面に除湿した空気を噴出する噴出口２０と、前記座席本体のある室内８の吸引した空気を除湿する除湿手段１５を有する除湿空調ユニット１１と、前記除湿空調ユニットを前記噴出口に連通し、除湿空気を前記噴出口に案内する除湿空気通路１９とを備えている。
【特許文献２】特開２００５−２１４８１
【発明の開示】
【発明が解決しようとする課題】
【０００６】
特許文献１において、車室内の車両用温調機５１からシートユニットに空調空気を送り込むが、吹出方向変向手段５３の構成要素となるルーバー５６やダンパ６６がインストルメント下にあり、シートまでにかなり遠い距離にある。したがって、送風機１２の吸気口１１までに拡散して空調空気の温度が変化してしまう。
【０００７】
そこで、車両用温調機５１の出口５２を、ブロワ１２の吸気口１１近傍まで導風管６１を延ばした他の実施例が示されているが、この特許文献１では、共にブロワ１２の吸気口１１へ集風する機構が良くなく、吹出した空調空気が後部座席へ流出してしまい、シート空調ユニットに確実に吸入されない不都合があった。
【０００８】
特許文献２において、車室内用の空調装置の空調空気を利用するものではなく、車室内の空気（床面側の空気）を吸い込むだけである。即ち、フロントのインストルメントパネル下に設けられた空調装置の空調空気を積極的に導くフロアダクトも無い。
【０００９】
また、空調空気の質を改善するものではなく、単に吸引した空気の除湿手段１５を有しているにすぎない。即ち、空気の湿気が、コルゲート状や粒状のシリカゲルや活性アルミナ等の吸着材１４により吸着しているだけである。この特許文献２には、車室内の空調を司る車室内空調ユニットとの相乗効果、そして車室内空調ユニットの負荷の軽減を図る考えは無い。
【００１０】
そこで、この発明は、車室内の空調を司る車室内空調ユニットの機能を助け、車室内空調ユニットの負荷の軽減のみならず、車室内の快適性の向上を図ることにある。
【００１１】
この発明に係る車両用シート空調装置は、車両シートの座面又は背面の少なくとも一方に空調空気を送るためのシート空調用送風機を備えたシート空調ユニットと、車室内の空調を司る車室内空調ユニットとを備え、前記車室内空調ユニット内から前記シート空調ユニットに空調空気を送り込む非接続型の車両用シート空調装置において、前記シート空調ユニットに設けられたシート空調用送風機の前後の少なくとも一方の導風通路に導入空気の質を改善する空気質改善機構を組み込んだことにある（請求項１）。
【００１２】
これにより、導風通路に設けられた空気質改善機構により車室内の空気の質の改善が図れる。これは、車室内の空調を司る車室内空調ユニットの機能を助け、且つ分散して車室内空調ユニットの負荷を軽減し、更なる車室内の快適性の向上が図られる。
【００１３】
前記空気質改善機構は、空気から悪質なにおいを脱臭する脱臭器（請求項２）、空気に香を付加する芳香器（請求項３）、空気を殺菌又は滅菌する殺菌又は滅菌器（請求項４）、及び空気から塵を収集する集塵器（請求項５）であったりしている。そして、この空気質改善機構は、シート空調用送風機に一体として取付られている（請求項６）。
【００１４】
前記空気質改善機構は、取付られるシート空調用送風機の下面から着脱作業が行われる、開口や取付手段を有している（請求項７）。それから、該空気質改善機構の着脱用に、その着脱軌跡空間を有し、しかもその空間に他の機器の配置を避けるようにしている（請求項８）。これにより、シートの下面よりの空気質改善機構の着脱が良好となる。さらに、空気質改善機構の作動、例えば電気的な集塵器にあっては、前記シート空調用送風機の作動と連動させることが好ましい（請求項９）。
【００１５】
前記シート空調用送風機に集風手段としてのガイド板を、前記車室内空調ユニットに接続のフロアダクトの吹出口から吹出される空調空気の流れに直交する位置と、流れに沿う位置とに可変するように設置することが好ましい（請求項１０）。この集風手段にて、フロアダクトから吹出される空調空気を効率良く集めることができるし、また、掃除時には折り畳まれていることから、不都合を与えることもない。
【発明の効果】
【００１６】
以上のように、この発明によれば、シート空調ユニットに設けられたシート空調送風機の前後の少なくとも一方の導風通路に設けられた空気質改善機構により、導入空気の質の改善が図られる。これは取りも直さず、車室内空調ユニットの機能を助けることになる。即ち、分担して車室内空調ユニットの負荷を軽減すると共に車室内の快適性の向上となる（請求項１）。
【００１７】
前記空気質改善機構は、脱臭器、芳香器、殺菌又は滅菌器さらには集塵器であったりして、車室内の空気の脱臭、芳香、殺菌又は滅菌、さらには集塵する作用効果を得ている（請求項２，３，４，５）。この空気質改善機構は、シート空調用送風機と一体に取付られ、しかも下面から脱臭作業が行われるが、着脱用に着脱軌跡空間が確保され、しかも他の機器の配置を避けるようにしていることから、容易に行われる（請求項６，７，８）。
【００１８】
前記空気質改善機構は、前記シート空調送風機の作動と連動することから、特別のスイッチ機構を持たなくて、忘れることなく、電源が供給され、作動される利点を有している（請求項９）。
【００１９】
前記シート空調用送風機に集風手段としてのガイド板を持ち、このガイド板がフロアダクトの吹出口から吹出される空調空気に対して直交する位置と、流れに沿う位置とに可変するように設置され、確実に空調空気を集めることができる（請求項１０）。
【発明を実施するための最良の形態】
【００２０】
以下、この発明の実施例を図面にもとづいて説明する。
【実施例１】
【００２１】
図１，乃至図３において、この発明の第１の実施例が示され、車両用シート空調装置１は、車室内を空調するための車室内空調ユニット２と、車両の乗員の座席に空調空気を送るシート空調ユニット３と、前記車室内空調ユニット２内からの空調空気を送るフロアダクト４から成っている。
【００２２】
前記車室内空調ユニット２は、内気又は外気を導入し、該導入空気に流れを発生させる送風機（図示せず）と、この送風機により導入された空気を冷却するエバポレータ（図示せず）と、このエバポレータにより冷却された冷風を加熱するヒータコア（図示せず）とを備え、熱負荷に比して、吹出風の温度がコントロールされると共に、吹出モードに従って、所望の吹出口より車室内に吹出している。
【００２３】
そして、この車室内空調ユニット２には、車両シート用のフロアダクト４が接続され、エバポレータ並びにヒータコアにて冷却又は加熱された空調空気が吹出されるが、使用される状況により、冷風の吹出又は温風の吹出のみに固定しても良い。なお、シート空調が行われない時には、該フロアダクト４に空調空気は流れないように構成されている。
【００２４】
フロアダクト４は、フロア７のセンター凸部７ａの面に添って配管され、その先端に吹出口６が形成され、該吹出口６がフロア７上であって、車両シート８の下面の近傍に配置されている。具体的には、車両シート８が最も後方へ戻されたときでも乗員から見えないことが好ましい。
【００２５】
シート空調ユニット３は、車両シート８に座る乗員の背中、臀部、大腿部に空調空気を送り、蒸れや汗によるベタつきを抑える作用をするもので、そこで採用の車両シート８はシートクッション９と、シートバック１０とより、上下方向のみならず前後方向のストロークを有し、着座する乗員の体にフィットするように構成されている。この車両シート８は、車体に固定の車体側シートレール１４ａと、この上を前後方向（進行方向）に動くシート側シートレール１４ｂを介して車体に固着されている。なお、図示しないが車両シート８には、上下方向にストロークする機構も備えられている。
【００２６】
この車両シート８には、それぞれ吹出口１２及び１３が設けられ、その吹出口１２，１３へ送り出し通路１１ａ，１１ｂを介して空調空気を送るシート空調用送風機１５が車両シート８の底面に取付られている。
【００２７】
シート空調用送風機１５は、内部に遠心式ファン１６が配され、下面に吸込口１７を有しており、前記吹出口６から吹出される空調空気を受けて、吸い込む作用をしている。
【００２８】
前記遠心ファン１６は、前記シート空調用送風機１５の内部空間である導風通路１８内に配され、ファン１６の回転により前記導風通路１８の先方に形成の吸込口１７より空調空気を吸い込んでいる。そして、吸い込んだ空調空気を下流側へ送り出し、前記送り出し通路１１ａ，１１ｂを介してシート吹出口１２，１３から吹出される。
【００２９】
前記導風通路１８にあって、前記遠心ファン１６の下流側に空気質改善機構２０が設けられている。この空気質改善機構２０は、導入空気から悪質な物質を吸着する脱臭器や脱臭剤が、かぐわしい香を発生させる芳香器が、空気中の雑菌を殺菌する殺菌又は滅菌器が、そして塵を集める集塵器が必要に応じて選択されて用いられる。なお、空気質改善機構２０は、導風通路１８の上流に設けても良いことは勿論である。
【００３０】
空気質改善機構２０は、例えば図３に示すような構造をなし、シート空調用送風機１５に取付られている。具体的な例として、空気質改善機構２０は不織布が用いられた長方体の集塵用のフィルタ２２が示され、長手方向両端の底面板２３に取付片２４を有している。
【００３１】
この集塵用のフィルタ２２は、前記シート空調用送風機１５の導風通路１８を構成する底面１８ａに形成の取付開口２５に挿入され、取付片２４がシート空調用送風機１５に係止して、該導風通路１８内に配される。これにより、導入空気内に含まれる塵を集めることができる。
【００３２】
また、この集塵フィルタ２２は、目詰まりを防ぐため、交換をしなければならず、その縦方向寸法Ｌ２が車両の床面７とシート空調用送風機１５のフロア１８ａとの間寸法Ｌ１より短いことが必要であり、これにより、車両の前方か後方のいずれかに向けて着脱軌跡空間が持たされ、スムーズに集塵フィルタ２２の交換が可能となる。具体的には、Ｌ１は１１〜１２mm程に、Ｌ２は５mm程になるものと思われる。なお、着脱軌跡空間には、他の機器の配置は控えられる。
【００３３】
空気質改善機構２０は、前記した車室内空調ユニットの機能を助ける目的で設けられており、車室内の空気の質の改善を分担して、車室内空調ユニット２の負荷を軽減する作用を有している。
【００３４】
なお、空気質改善機構２０の種類によっては、前記した図３に示す集塵フィルタ２２と同様な構成でなくても良いが、取付開口２６や取付手段２４を有することは勿論である。それから、空気質改善機構２０は、電気を用いる物が採用される場合には、シート空調用送風機１５を連動させることが好ましい。
【００３５】
上述の構成において、シート空調ユニット３を作動させるには、まずインストルメントパネル等に設けられているシート空調装置の作動スイッチをＯＮとする。すると車室内空調ユニット２から空調空気がフロアダクト４を通って吹出口６より車室内、即ち車両シート８の下部で車両の前後方向に吹出される。
【００３６】
吹出された空調空気は、フロア７上に沿って車両方向に流れ、吸入口１７より、シート空調用送風機１５内に導入される。この導入空気は、ファン１６の下流側にて空気質改善機構２０を通過することで、脱臭、芳香、殺菌又は滅菌されたり、さらには集塵される。即ち、空調空気の質の改善を前記車室内空調ユニットと分担して図ることができる。
【実施例２】
【００３７】
図４において、第２の実施例が示され、この実施例２は、前記実施例１に対して、空調空気の集風機構の追加例で、シート空調用送風機１５が作動時に、集風を良好とするため、該シート空調用送風機１５に、その吸入口１７の開閉蓋をも兼ねるガイド板２６が回動自在に設けられている。このガイド板２６は、図示しないアクチュエータにより回動される。
【００３８】
ガイド板２６は、シート空調装置が作動されると、図示のように下方へ伸び、吸込口１７は開かれると共に、フロアダクト４の吹出口から吹出される空調空気を遮断し、受けとめ、集風した空調空気が吸込口１７から吸込まれる。
【００３９】
シート空調装置の作動が停止されると、ガイド板２６が二点連鎖の位置に戻り、吸込口１７を閉じる。したがって、清掃などで水洗いしても、吸込口１７が閉じられているから、水がシート空調用送風機１５内に入り込まず、内部を痛めることにはならない。なお、その他の部分は、実施例１と同一のため、同一の番号を付して、その説明を省略している。
【図面の簡単な説明】
【００４０】
【図１】この発明の実施例１を示す概略の側面図である。
【図２】同上の車両シートの底面図である。
【図３】実施例１に用いられる空気質改善機構の具体的な構成とシート空調用送風機への取付例を示す分解斜視図である。
【図４】この発明の実施例２を示す概略の側面図である。
【符号の説明】
【００４１】
１  車両用シート空調装置
２  車室内空調ユニット
３  シート空調ユニット
４  フロアダクト
６  吹出口
７  フロア
８  車両シート
１４ａ  車体側シートレール
１４ｂ  シート側シートレール
１５  シート空調用送風機
１７  吸込口
１８  導風通路
２０  空気質改善機構
２２  フィルタ
２４  取付片
２６  ガイド板
【図１】
2008179264.tif 000003
【図２】
2008179264.tif 000004
【図３】
2008179264.tif 000005
【図４】
2008179264.tif 000006